(57)【要約】【課題】ランプユニットに新たな構成要素を追加することなく、かつ、不正に累積点灯時間がリセットされるのを抑制する。【解決手段】ランプユニットにおけるランプの累積点灯時間をリセットするための累積点灯時間のリセット用認証情報が入力されると、リセット用認証情報に基づいて累積点灯時間のリセット可否を判定する機能を有する投写型画像表示装置（プロジェクタＰＪ）であって、累積点灯時間を記憶する累積点灯時間記憶部３５０と、ランプユニットの交換時において、新たに取り付けられるランプユニットに与えられたリセット用認証情報が入力されると、入力されたリセット用認証情報が適切か否かを判定し、入力されたリセット用認証情報が適切であると判定された場合のみ、累積点灯時間記憶部３５０の累積点灯時間をリセット可能とする制御部４００とを有する。【選択図】図４
2010139599.tif 000002
【特許請求の範囲】
【請求項１】
累積点灯時間を記憶する累積点灯時間記憶部と、
ランプユニットの交換時において、新たに取り付けられるランプユニットに与えられた
リセット用認証情報が入力されると、前記入力されたリセット用認証情報が適切か否かを
判定し、前記入力されたリセット用認証情報が適切であると判定された場合のみ、前記累
積点灯時間記憶部の累積点灯時間をリセット可能とする制御部と、
を有することを特徴とする投写型画像表示装置。
【請求項２】
請求項１に記載の投写型画像表示装置において、
前記リセット用認証情報は、所定の規則に基づいて作成された情報であることを特徴と
する投写型画像表示装置。
【請求項３】
請求項２に記載の投写型画像表示装置において、
前記リセット用認証情報が蓄積されるリセット用認証情報記憶部をさらに有し、
前記制御部は、前記入力されたリセット用認証情報が前記所定の規則に基づいて生成さ
れた情報であるか否かを判定し、所定の規則に基づいて生成された情報であると判定した
場合のみに、前記入力されたリセット用認証情報と同じリセット用認証情報が前記リセッ
ト用認証情報記憶部に存在するか否かを判定し、前記入力されたリセット用認証情報と同
じリセット用認証情報が前記リセット用認証情報記憶部に存在しない場合のみ、前記入力
されたリセット用認証情報は適切であると判定することを特徴とする投射型画像表示装置
。
【請求項４】
請求項３に記載の投写型画像表示装置において、
前記制御部は、前記入力されたリセット用認証情報と同じリセット用認証情報が前記リ
セット用認証情報記憶部に存在しないと判定した場合は、前記入力されたリセット用認証
情報を前記リセット用認証情報記憶部に書き込むことを特徴とする投写型画像表示装置。
【請求項５】
請求項３又は４に記載の投写型画像表示装置において、
前記制御部は、前記入力されたリセット用認証情報が前記所定の規則に基づいて生成さ
れた情報ではないと判定した場合及び前記入力されたリセット用認証情報と同じリセット
用認証情報が前記リセット用認証情報記憶部に存在すると判定した場合は、それぞれエラ
ー表示を行うことを特徴とする投写型画像表示装置。
【請求項６】
請求項３〜５のいずれかに記載の投写型画像表示装置において、
前記制御部は、前記入力されたリセット用認証情報が前記所定の規則に基づいて生成さ
れた情報ではないと判定した場合及び前記入力されたリセット用認証情報と同じリセット
用認証情報が前記リセット用認証情報記憶部に存在すると判定した場合は、当該投写型画
像表示装置を正常に使用できない状態に設定することを特徴とする投写型画像表示装置。
【請求項７】
投写型画像表示装置に用いられるランプユニットであって、
累積点灯時間をリセットするための累積点灯時間のリセット用認証情報が与えられてい
ることを特徴とするランプユニット。
【発明の詳細な説明】
【技術分野】
【０００１】
本発明は、ランプユニットにおけるランプの累積点灯時間のリセット可否を判定する機
能を有する投写型画像表示装置及びこの投写型画像表示装置に使用されるランプユニット
に関する。
【背景技術】
【０００２】
プロジェクタやプロジェクションテレビジョン（これらを総称して投写型画像表示装置
という。）においては、画像投写用のランプに異常（例えば、ランプの球切れによるラン
プ不点灯など）が発生する場合がある。ランプ異常となる原因としては、ランプが寿命に
達した場合の他に、ランプに何らかの欠陥がある場合、ランプに電源を供給する電源回路
に異常がある場合などが考えられる。
【０００３】
ランプ異常の原因を知るためには、ランプ異常となった時点のランプの累積点灯時間を
知る必要がある。ランプ異常となった時点のランプの累積点灯時間を知ることができれば
、ランプ異常の原因がランプの寿命によるものか、それ以外によるものかを判断すること
ができる。
【０００４】
ランプの累積点灯時間を記憶装置に記憶させておき、最新の累積点灯時間を必要に応じ
てユーザに表示する機能を有したプロジェクタは、従来から存在する。このような機能を
有したプロジェクタは、ランプ（ランプユニット）を交換した場合には、累積点灯時間を
リセットし、交換後の新たなランプの累積点灯時間を記憶して行く。これによって、現在
、取り付けられているランプの累積点灯時間を知ることができる。
【０００５】
しかし、記憶装置に記憶されている累積点灯時間は、ランプを交換したときだけなく、
ユーザが意図的にリセットできるものもある。このように、記憶装置に記憶されている累
積点灯時間をユーザが意図的にリセット可能なプロジェクタにおいては、取り付けられて
いるランプを長時間使用した状態（例えば、３０００時間程度の寿命があるとされている
ランプを２５００時間程度使用した状態）で、ユーザが不正に累積点灯時間をリセットし
てしまい、その後、当該プロジェクタを数百時間使用した時点で、当該ランプが不点灯と
なった場合、その時点の累積点灯時間を根拠に、「数百時間しか使用しないのにランプが
不点灯となった」としてメーカ側に苦情を持ち込み、新品のランプの交換など、不当な要
求を行うユーザもある。
【０００６】
これに対処するために、累積点灯時間を記憶させるための記憶装置を設けたランプユニ
ットが提案されている（例えば、特許文献１参照。）。
【０００７】
特許文献１に開示されたランプユニットは、ランプの累積点灯時間を記憶する専用の記
憶装置をランプユニット本体側に有するものであり、当該ランプユニットをプロジェクタ
に取り付けて、ランプを点灯させると、その点灯時間が記憶装置に記憶されるようになっ
ている。なお、特許文献１に開示されたランプユニットに使用される記憶装置の記憶内容
は、ユーザがリセットできないようにしている。
【０００８】
【特許文献１】特開２０００−２６７０６１号公報
【発明の開示】
【発明が解決しようとする課題】
【０００９】
特許文献１に開示されたランプユニットは、記憶装置の記憶内容をユーザがリセットで
きないようにしているため、ユーザが不正に累積点灯時間を書き換えて、メーカ側に不当
な要求を行うといったことを抑制する効果は得られる。
【００１０】
しかしながら、特許文献１に開示されたランプユニットにおいては、ランプユニットに
累積点灯時間を記憶するための記憶装置を内蔵させているため、ランプユニット側に、通
常では存在しない構成要素としての記憶装置を設ける必要があり、ランプユニットに記憶
装置を内蔵させるためのスペースを設ける必要があり、また、当然のことながらランプユ
ニットのコストも増加する。さらに、ランプユニット内のランプは２００度以上の高温に
もなるため、記憶装置の温度対策も必要となる。
【００１１】
特許文献１に開示されたランプユニットにおいては、記憶装置としては、耐熱性のある
機械式又は電磁式のものを使用するということが記述されているが、たとえ、このような
機械式又は電磁式の記憶装置であっても、高温の影響は免れるものではなく、記憶装置に
何らかの悪影響を与えると考えられる。
【００１２】
そこで本発明は、ランプユニットに累積点灯時間を記憶させるための記憶装置などの構
成要素を内蔵させることなく、投写型画像表示装置本体側に設けられている制御部による
制御処理によって、累積点灯時間が不正にリセットされるのを抑制することができる投写
型画像表示装置を提供するとともに、この投写型画像表示装置に使用されるランプユニッ
トを提供することを目的とする。
【課題を解決するための手段】
【００１３】
本発明の投写型画像表示装置は、累積点灯時間を記憶する累積点灯時間記憶部と、ラン
プユニットの交換時において、新たに取り付けられるランプユニットに与えられたリセッ
ト用認証情報が入力されると、前記入力されたリセット用認証情報が適切か否かを判定し
、前記入力されたリセット用認証情報が適切であると判定された場合のみ、前記累積点灯
時間記憶部の累積点灯時間をリセット可能とする制御部とを有することを特徴とする。
【００１４】
本発明の投写型画像表示装置によれば、ランプユニットに与えられているリセット用認
証情報が適切であると判定された場合のみに、累積点灯時間記憶部に記憶されている累積
点灯時間のリセットを可能としている。これにより、累積点灯時間を記憶させるための記
憶装置などの構成要素をランプユニットに内蔵させることなく、投写型画像表示装置本体
側に設けられている制御部による制御処理によって、累積点灯時間が不正にリセットされ
るのを抑制することができる。
【００１５】
本発明の投写型画像表示装置においては、前記リセット用認証情報は、所定の規則を有
している情報であることが好ましい。
【００１６】
これにより、例えば、ユーザが、その場で考えた情報をリセット用認証情報として入力
したとしても、それを無効とすることができる。これにより、所定の規則に基づいたリセ
ット用認証情報が存在しない中古品のランプユニットなどを用いて、不正に累積点灯時間
をリセットするといった行為を未然に防止することができる。
【００１７】
本発明の投写型画像表示装置においては、前記リセット用認証情報が蓄積されるリセッ
ト用認証情報記憶部をさらに有し、前記制御部は、前記入力されたリセット用認証情報が
前記所定の規則に基づいて生成された情報であるか否かを判定し、所定の規則に基づいて
生成された情報であると判定した場合のみに、前記入力されたリセット用認証情報と同じ
リセット用認証情報が前記リセット用認証情報記憶部に存在するか否かを判定し、前記入
力されたリセット用認証情報と同じリセット用認証情報が前記リセット用認証情報記憶部
に存在しない場合のみ、前記入力されたリセット用認証情報は適切であると判定すること
が好ましい。
【００１８】
このように、まずは、入力されたリセット用認証情報が前記所定の規則に基づいて作成
された情報であるか否かを判定し、所定の規則に基づいて作成されたリセット用認証情報
に対してのみ、入力されたリセット用認証情報と同じリセット用認証情報が前記リセット
用認証情報記憶部に存在するか否かを判定するようにしている。このため、入力されたリ
セット用認証情報が適切なリセット用認証情報であるか否かの判定を、より適切に行うこ
とができる。
【００１９】
また、入力されたリセット用認証情報と同じリセット用認証情報が前記リセット用認証
情報記憶部に存在するか否かを判定することによって、入力されたリセット用認証情報が
既に使用済みのリセット用認証情報であるか否かが判るため、一度使用したランプユニッ
トを用いて、累積点灯時間を不正にリセットするといった行為を未然に防ぐことができる
。
【００２０】
本発明の投写型画像表示装置においては、前記制御部は、前記入力されたリセット用認
証情報と同じリセット用認証情報が前記リセット用認証情報記憶部に存在しないと判定し
た場合は、前記入力されたリセット用認証情報を前記リセット用認証情報記憶部に書き込
むようにする。
【００２１】
このように、リセット用認証情報記憶部には、過去に使用されたリセット用認証情報が
順次蓄積されて行くため、ユーザが過去に使用していたランプユニットで累積点灯時間を
リセットしようとしても、当該リセット用認証情報は、使用済みリセット用認証情報とし
て処理される。これにより、過去に使用していたランプユニットにより累積点灯時間をリ
セットすることはできず、累積点灯時間を不正にリセットする行為を未然に防ぐことがで
きる。
【００２２】
本発明の投写型画像表示装置においては、前記制御部は、前記入力されたリセット用認
証情報が前記所定の規則に基づいて作成された情報ではないと判定した場合及び前記入力
されたリセット用認証情報と同じリセット用認証情報が前記リセット用認証情報記憶部に
存在すると判定した場合は、それぞれエラー表示を行うことが好ましい。
【００２３】
これにより、ユーザは自分が入力したリセット用認証情報が無効であることを容易に知
ることができる。また、リセット用認証情報は有効であってもそのリセット用認証情報が
使用済みのリセット用認証情報である場合にもそれを容易に知ることができる。
【００２４】
本発明の投写型画像表示装置においては、前記制御部は、前記入力されたリセット用認
証情報が前記所定の規則に基づいて作成された情報ではないと判定した場合及び前記入力
されたリセット用認証情報と同じリセット用認証情報が前記リセット用認証情報記憶部に
存在すると判定した場合は、当該投写型画像表示装置を正常に使用できない状態に設定す
ることが好ましい。
【００２５】
このように、適切なリセット用認証情報を有するランプユニットを使用した場合のみ、
当該投写型画像表示装置を正常に使用することができるようになるため、不正に累積点灯
時間をリセットする行為を抑制することができる。
【００２６】
本発明のランプユニットは、投写型画像表示装置に用いられるランプユニットであって
、累積点灯時間をリセットするための累積点灯時間のリセット用認証情報が与えられてい
ることを特徴とする。
【００２７】
それぞれの投写型画像表示装置の交換部品としてのランプユニットにこのようなリセッ
ト用認証情報を与えておくことによって、前記本発明の投写型画像表示装置で述べたよう
に、ランプユニットに与えられているリセット用認証情報が適切である判定された場合の
みに、累積点灯時間記憶部に記憶されている累積点灯時間のリセットを可能とすることが
できる。これにより、累積点灯時間を記憶させるための記憶装置などの構成要素をランプ
ユニットに内蔵させることなく、投写型画像表示装置本体側に設けられている制御部によ
る制御処理によって、累積点灯時間が不正にリセットされるのを抑制することができる。
【発明を実施するための最良の形態】
【００２８】
以下、本発明の実施形態について説明する。なお、以下に示す実施形態においては、投
写型画像表示装置としてプロジェクタを例にとって説明する。
【００２９】
図１は、実施形態に係るプロジェクタＰＪの外観を概略的に示す斜視図である。実施形
態に係るプロジェクタＰＪは、図１に示すように、投写レンズ１００、操作パネル２００
を有している。
【００３０】
図２は操作パネル２００の構成例を示す図である。操作パネル２００は、図２に示すよ
うに、各種の機能設定を行う機能設定キー２１１〜２１４を有する機能設定操作部２１０
、電源スイッチ（ＰｏｗｅｒＳＷ）２２０、メニュー設定キー（Ｍｅｎｕ）２３０、Ｅｓ
ｃキー２４０、Ｈｅｌｐキー２５０、電源スイッチ２２０をオンさせた場合に点灯する動
作状態表示用発光素子（電源ＬＥＤという。）２６０、画像投写用のランプ７１０（図４
参照）の異常（ランプ不点灯とする。）が発生した場合に点灯するランプエラー表示用発
光素子（ランプエラーＬＥＤという。）２７０、入力（Ｓｏｕｒｃｅ）切り替えキー２８
０、ランプ７１０の累積点灯時間を表示する累積点灯時間表示部２９１、累積点灯時間を
リセットするための累積点灯時間リセットボタン２９２などを有している。
【００３１】
図３は、実施形態に係るプロジェクタＰＪの画像投写部の構成を示す図である。画像投
写部は、図３に示すように、赤色光、緑色光及び青色光を含む光を射出するランプ７１０
を保持するランプユニットＬＰＵと、レンズアレイ７２０と、重畳レンズ７３０と、画像
形成手段７４０と、投写レンズ１００とを備える。
【００３２】
また、図３における画像形成手段７４０は、ランプ７１０から射出された光を赤色光（
Ｒ）と緑色光（Ｇ）及び青色光（Ｂ）とに分離する第１ダイクロイックミラー７４１と、
第１ダイクロイックミラー７４１で分離された緑色光及び青色光を緑色光と青色光とに分
離する第２ダイクロイックミラー７４２と、画像データ出力部３９０（図４参照）から出
力される画像データに基づいて赤色光、緑色光及び青色光の各色光を変調する赤色光用の
光変調素子７４３Ｒ、緑色光用の光変調素子７４３Ｇ及び青色光用の光変調素子７４３Ｂ
と、第１ダイクロイックミラー７４１を透過した赤色光を光変調素子７４３Ｒに導く反射
ミラー７４４と、第２ダイクロイックミラー７４２を透過した青色光を光変調素子７４３
Ｂに導く第１リレーレンズ７４５、第１反射ミラー７４６、第２リレーレンズ７４７と、
第２反射ミラー７４８と、光変調素子７４３Ｒ，７４３Ｇ，７４３Ｂでそれぞれ変調され
た各色光による画像光を合成してカラー画像光を形成するクロスダイクロイックプリズム
７４９とを有する。
【００３３】
投写レンズ１００は、クロスダイクロイックプリズム７４９で合成されたカラー画像光
を拡大してスクリーンＳＣＲに投写を行う。
【００３４】
ランプユニットＬＰＵは、ランプ７１０の他に、ランプユニットＬＰＵをプロジェクタ
ＰＪ本体の電気回路に接続するためのコネクタ部７１１を有している。ランプ７１０が不
点灯状態となった場合は、ユーザはランプユニットＬＰＵを購入して、ランプユニットＬ
ＰＵ全体を交換する。
【００３５】
また、ランプユニットＬＰＵには、ランプ７１０の累積点灯時間をリセットする際に入
力される累積点灯時間のリセット用認証情報がランプユニット固有の情報として与えられ
ている。このリセット用認証情報は、ユーザが視認できるように、例えばラベル７１２な
どに表記され、このラベル７１２がランプユニットの所定箇所に貼付されている。そして
、ランプユニットＬＰＵを交換する際は、ユーザは、新たなランプユニットＬＰＵに与え
られたリセット用認証情報を、プロジェクタＰＪの付属品としてのリモートコントローラ
（リモコンという。）のキー操作部などから入力する。
【００３６】
リセット用認証情報は、個々のランプユニットＬＰＵごとに異なった固有の情報であり
、例えば、個々のランプユニットＬＰＵのシリアル番号などと組み合わせたものであって
もよい。ただし、リセット用認証情報は、所定の規則（所定規則という。）に基づいて作
成されており、この所定規則は、プロジェクタＰＪにおける制御部４００（図４参照。）
が判定可能である。したがって、ユーザがリセット用認証情報を入力した際に、入力され
たリセット用認証情報が所定規則に基づいて作成された情報ではないと判定された場合に
は、当該リセット用認証情報は、無効なリセット用認証情報として処理される。
【００３７】
図４は、実施形態にかかるプロジェクタＰＪの機能ブロック図である。実施形態に係る
プロジェクタＰＪは、図４に示すように、リモコン５００からの指示信号を受信するリモ
コン信号受信部３１０、リモコン信号受信部３１０で受信されたリモコン指示信号及び操
作パネル２００をユーザが操作することによって入力される操作パネル入力信号を処理す
る入力情報処理部３２０、商用電源（通常は１００ボルト）に接続されてプロジェクタＰ
Ｊを動作させるための電力をプロジェクタＰＪの各部に与える電源部３３０、時間（ここ
ではランプの点灯時間とする。）を計測するタイマ３４０、タイマ３４０によって計測さ
れたランプ点灯時間を累積した累積点灯時間を記憶する累積点灯時間記憶部３５０、累積
点灯時間をリセットする際に入力されるリセット用認証情報を記憶するリセット用認証情
報記憶部３６０を有している。
【００３８】
なお、リセット用認証情報記憶部３６０には、初期状態としては、プロジェクタＰＪの
購入時に取り付けられているランプユニットＬＰＵのリセット認証情報が記憶されている
ものとする。また、プロジェクタＰＪを長期間使用したことにより、何回かランプユニッ
トＬＰＵを交換した場合には、ランプユニットＬＰＵを交換するごとに、各ランプユニッ
トＬＰＵのリセット用認証情報がリセット用認証情報記憶部３６０に順次蓄積されて行く
。また、リセット用認証情報記憶部３６０には、ランプユニットＬＰＵを交換する際当該
ランプユニットＬＰＵのリセット用認証情報とともに当該ランプユニットＬＰＵの点灯時
間も蓄積するようにしてもよい。
【００３９】
また、累積点灯時間記憶部３５０に記憶されている累積点灯時間は、操作パネル２００
の累積点灯時間表示部２９１に表示される。この累積点灯時間表示部２９１は、本発明に
おいては限定されるものではなく、どのような表示手段を用いてもよい。例えば、累積点
灯時間の数値そのものを表示するような表示手段であってもよく、発光ダイオードなどの
発光素子（ＬＥＤという。）を累積点灯時間の桁位置ごとに設けて、各桁位置のＬＥＤの
断続的な点灯回数によって累積点灯時間を表すような表示手段であってもよい。また、１
つのＬＥＤを累積点灯時間表示用ＬＥＤとして設け、累積点灯時間の各桁位置を何らかの
指定手段によって指定することによって、指定した桁位置における時間を表す数値に対応
した回数だけ上記１つのＬＥＤ（累積点灯時間表示用ＬＥＤ）を断続的に点灯させるよう
な表示手段であってもよい。
【００４０】
このように、ＬＥＤの断続的な点灯により累積点灯時間を表示するような表示手段を構
成する場合は、操作パネル２００上に元々存在するＬＥＤ（ランプエラーＬＥＤ，電源Ｌ
ＥＤなど）を累積点灯時間表示用として用いることもできる。
【００４１】
また、実施形態に係るプロジェクタＰＪは、外部接続機器６００からの画像データを選
択する画像データ選択部３７０、画像データ選択部３７０によって選択された画像データ
を処理する画像データ処理部３８０、画像データ処理部３８０によって処理された画像デ
ータを画像投写部７００に出力する画像データ出力部３９０、プロジェクタＰＪ全体の制
御を行う制御部４００を有している。なお、画像投写部７００は図３に示すように構成さ
れている。
【００４２】
制御部４００は、ランプ７１０が点灯されるごとにタイマ３４０によって計測された当
該ランプ７１０点灯時間に基づいて、累積点灯時間記憶部３５０の内容を更新して、その
時点における最新の累積点灯時間を累積点灯時間記憶部３５０に書き込む機能を有してい
る。
【００４３】
また、制御部４００は、ランプユニットＬＰＵの交換を行う際、ユーザによりランプユ
ニット交換要求を受けると、ランプユニット交換モードを設定する機能を有する。そして
、ランプユニット交換モードを設定した状態において、ユーザがリセット用認証情報を入
力すると、入力されたリセット用認証情報が適切なリセット用認証情報であるか否かを判
定し、適切なリセット用認証情報であると判定した場合のみ、累積点灯時間のリセットを
可能とする累積点灯時間リセットモードの設定を行う。
【００４４】
なお、累積点灯時間リセットモードの設定がなされた状態で、ユーザにより累積点灯時
間リセットボタン２９２が押されると、制御部４００は、累積点灯時間リセットボタン２
９２からの信号を受けて、累積点灯時間記憶部３５０に記憶されている累積点灯時間をリ
セットする。これにより、その時点における累積点灯時間は「０」となる。
【００４５】
図５は、ランプユニット交換モードにおける制御部４００の処理について説明するフロ
ーチャートである。ここでは、プロジェクタＰＪの使用中に、ランプ異常（ランプ不点灯
とする）が発生し、ランプ不点灯となったランプユニットＬＰＵを新たなランプユニット
ＬＰＵに交換する場合について説明する。
【００４６】
まず、ユーザは電源をオフした状態として、ランプ不点灯となったランプユニット（第
１ランプユニットという。）を取り外し、新しいランプユニット（第２ランプユニットと
いう。）の取り付けを行ったのち、ランプユニット交換要求を入力すると、制御部４００
はランプユニット交換モードの設定を行う（ステップＳ１）。そして、ユーザが電源をオ
ンすると、制御部４００は、リセット用認証情報入力要求をスクリーン上に表示するため
の表示制御を行う（ステップＳ２）。
【００４７】
ここで、ユーザがスクリーン上の表示を見て、第２ランプユニットに与えられているリ
セット用認証情報をリモコン５００などによって入力すると、制御部４００は、入力され
たリセット用認証情報を復号する（ステップＳ３）。ステップＳ３の処理は、例えば、リ
セット用認証情報が暗号化された情報である場合、暗号化された情報を復号する処理であ
る。
【００４８】
続いて、制御部４００は、入力されたリセット用認証情報が有効なリセット用認証情報
であるか否かを判定する（ステップＳ４）。このステップＳ４の処理は、入力されたリセ
ット用認証情報が所定規則に基づいて作成された情報であるか否かを判定するものである
。具体的には、ユーザが、その場の思い付きで考えた情報をリセット用認証情報として入
力したような場合には、それを無効とするというものである。ステップＳ４において、入
力されたリセット用認証情報が有効ではないと判定した場合には、例えば、「このリセッ
ト用認証情報は無効です」というようなエラー表示を行う（ステップＳ８）。
【００４９】
一方、ステップＳ４において、入力されたリセット用認証情報が有効な情報であると判
定した場合には、当該リセット用認証情報が既に使用されているリセット用認証情報（使
用済みリセット用認証情報という。）であるか否かを判定する（ステップＳ５）。このス
テップＳ５の処理は、入力されたリセット用認証情報と同じリセット用認証情報がリセッ
ト用認証情報記憶部３６０に存在するか否かを調べ、同じリセット用認証情報がリセット
用認証情報記憶部３６０に存在する場合は、当該リセット用認証情報は使用済みリセット
用認証情報であるとする。
【００５０】
ステップＳ５において、制御部４００が、入力されたリセット用認証情報は、使用済み
リセット用認証情報であると判定した場合には、例えば、「このリセット用認証情報は既
に使われています」といったエラー表示を行う（ステップＳ９）。
【００５１】
一方、ステップＳ５において、制御部４００が、入力されたリセット用認証情報が使用
済みリセット用認証情報ではないと判定した場合は、入力されたリセット用認証情報は適
切なリセット用認証情報であるとして、累積点灯時間のリセットを可能とする累積点灯時
間リセットモードの設定を行う（ステップＳ６）。この状態で、ユーザが累積点灯時間リ
セットボタン２９２（図２参照）を押すと、制御部４００は、累積点灯時間リセットボタ
ン２６０からの信号を受けて、累積点灯時間記憶部３５０に記憶されている累積点灯時間
をリセットする。
【００５２】
そして、ユーザによって累積点灯時間がリセットされると、制御部４００は、リセット
用認証情報記憶部３６０に第２ランプユニットに与えられているリセット用認証情報を新
たに追加して（ステップＳ７）、処理を終了する。これにより、プロジェクタＰＪは正常
使用が可能な状態となる。
【００５３】
ところで、制御部４００は、ステップＳ８又はステップＳ９においてエラー表示を行っ
た場合は、いずれの場合も、プロジェクタＰＪを正常使用できない状態に設定する。プロ
ジェクタＰＪを正常使用できない状態に設定する方法としては、例えば、ステップＳ８又
はステップＳ９においてエラー表示を行ったあと、ランプ７１０を強制的に消灯させるよ
うにランプ制御を行う方法、または、投写は可能とするがＲＧＢに対応する光変調素子７
４３Ｒ，７４３Ｇ，７４３Ｂのうちのある１つの色に対応する光変調素子のみを駆動する
ように光変調素子の駆動制御を行う方法などを例示することができる。
【００５４】
図６は、ランプユニットの交換操作と累積点灯時間リセットの可否との対応関係を説明
する図であり、図６（ａ）は、正当なランプユニットの交換操作の例を示し、図６（ｂ）
及び図６（ｃ）は、不正に累積点灯時間のリセットを行おうとする場合のランプ交換操作
の例を示している。なお、図６（ｂ）を不正なランプユニット交換操作（その１）とし、
図６（ｃ）を不正なランプユニット交換操作（その２）とする。
【００５５】
図６（ａ）に示す正当なランプユニット交換操作において、まず、プロジェクタＰＪを
購入した時点Ｔ０では、ランプユニット（第１ランプユニット）が既に取り付けられてい
るものとし、この時点では、当該第１ランプユニットのリセット用認証情報がリセット用
認証情報記憶部３６０に既に書き込まれているものとする。そして、当該プロジェクタＰ
Ｊを数千時間使用した時点Ｔ１において（この時点の累積点灯時間をＴαとする。）、第
１ランプユニットが不点灯となったとする。
【００５６】
そこで、ユーザは時点Ｔ１において、プロジェクタＰＪ用の交換部品として用意されて
いる新品のランプユニット（第２ランプユニット）を購入し、第１ランプユニットを第２
ランプユニットに交換して、当該第２ランプユニットに与えられているリセット用認証情
報を入力したとする。この場合、入力されたリセット用認証情報は、有効であり、かつ、
使用済みリセット用認証情報ではないので、ユーザは累積点灯時間をリセットすることが
できる。
【００５７】
そして、当該プロジェクタＰＪをさらに数千時間使用した時点Ｔ２において（この時点
の累積点灯時間をＴβとする。）、第２ランプユニットが不点灯となったとする。そこで
、ユーザは時点Ｔ２において、上記同様、プロジェクタＰＪ用の交換部品として用意され
ている新品のランプユニット（第３ランプユニット）を購入し、第２ランプユニットを第
３ランプユニットに交換して、当該第３ランプユニットに与えられているリセット用認証
情報を入力したとする。この場合も、入力されたリセット用認証情報は、有効であり、か
つ、使用済みリセット用認証情報ではないので、ユーザは累積点灯時間をリセットするこ
とができる。
【００５８】
以上が正当なランプユニット交換操作の例であり、この場合、リセット用認証情報記憶
部３６０には、ランプユニットＬＰＵを交換するごとに新たなリセット用認証情報が蓄積
されて行く。
【００５９】
図６（ｂ）は、不正なランプ交換操作の例（その１）である。図６（ｂ）は、プロジェ
クタＰＪの購入時に取り付けられたランプユニット（第１ランプユニット）を所定時間使
用（この時点の累積点灯時間をＴγとする）した時点Ｔ３において（時点Ｔ３では第１ラ
ンプユニットはまだ使用可能であるとする。）、当該第１ランプユニットを一旦、取り外
したのち、当該第１ランプユニットを再び取り付けて、当該第１ランプユニットに与えら
れたリセット用認証情報を入力した場合である。この場合、当該リセット用認証情報は図
５におけるステップＳ４においては、有効であると判定されるが、ステップＳ５において
、使用済みリセット用認証情報であると判定され、エラー表示がなされ（ステップＳ９）
、ユーザは累積点灯時間をリセットすることができない。
【００６０】
なお、エラー表示（ステップＳ９）のあと、当該第１ランプユニットをそのまま使用（
継続使用）を望むか否かを確認する表示（Ｙｅｓ／Ｎｏ判断）を行ってもよい。継続使用
を望む場合は、累積点灯時間はリセットされないので、そのまま累積点灯時間を継続する
。また、継続使用を望まない場合は、ランプユニットを交換するメッセージを表示し、累
積点灯時間をリセットできないようにしてもよい。このような処理により、何らかの理由
によりランプの取り外しを行ったような場合に（不正なランプ交換操作ではない場合）、
継続してランプを使用することが可能となる。
【００６１】
図６（ｂ）に示すような不正なランプ交換操作を行った場合は、ユーザは累積点灯時間
をリセットすることができない。これにより、例えば、悪意を持ったユーザが、ランプ寿
命が近づいている第１ランプユニットを取り外したのちに、当該第１ランプユニットを再
び取り付けることによって、累積点灯時間を一旦リセットし、当該第１ランプユニットが
数十時間あるいは数百時間程度で不点灯となったとき、その累積点灯時間を根拠に、「こ
のランプユニットは数十時間で不点灯となった」というような苦情をメーカ側に持ち込も
うとしても、実際には累積点灯時間をリセットすることができないため、このような苦情
が持ち込まれるのを未然に防ぐことができる。
【００６２】
また、図６（ｃ）は、不正なランプ交換操作の例（その２）であり、これは、プロジェ
クタＰＪの購入時点で取り付けられているランプユニット（第１ランプユニット）が時点
Ｔ４において不点灯となったとき、既に寿命近くまで使用した中古品のランプユニット（
中古ランプユニットという。）をユーザが入手して、第１ランプユニットを中古ランプユ
ニットに交換した場合である。なお、当該中古ランプユニットは、所定規則に基づいたリ
セット用認証情報が存在しないものであるとする。
【００６３】
この場合、リセット用認証情報を入力する必要があるが、当該中古ランプユニットには
リセット用認証情報が存在しないため、ユーザがその場の思い付きで考えた情報をリセッ
ト用認証情報として入力したとする。このような思い付きで考えた情報は、図５における
ステップＳ４において有効なリセット用認証情報として判定されないため、エラー表示が
なされ（ステップＳ８）、ユーザは累積点灯時間をリセットすることができない。
【００６４】
このような不正なランプ交換操作を行った場合も、ユーザは累積点灯時間をリセットす
ることができない。このため、図６（ｂ）の場合と同様、当該中古ランプユニットが数十
時間あるいは数百時間程度で不点灯となったとき、その累積点灯時間を根拠に、「このラ
ンプユニットは数十時間で不点灯となった」というような苦情をメーカ側に持ち込もうと
しても、実際には累積点灯時間をリセットすることができないため、このような苦情の持
ち込みを未然に防ぐことができる。
【００６５】
なお、本発明は上記実施形態に限られるものではなく、本発明の要旨を逸脱しない範囲
で種々変形実施可能となるものである。例えば、下記（１）〜（５）に示すような変形実
施も可能である。
【００６６】
（１）上記実施形態においても述べたように、中古ランプユニットであっても、所定の
規則に基づいたリセット用認証情報が存在し、かつ、当該リセット用認証情報が使用済み
リセット用認証情報でない場合もあり得る。このような場合には、累積点灯時間のリセッ
トが可能となってしまうが、これに対処するために、例えば、ランプユニットの使用状況
を判別可能な簡易な手段をランプユニット側に設けるようにすることも可能である。ラン
プユニットの使用状況をより明確に判別可能な簡易な手段として、下記に示す使用状況判
別手段を例示する。
【００６７】
ランプユニットＬＰＵのある特定の電気部品（例えば、端子や発光管など）の電気的特
性を調べることによって当該ランプユニットＬＰＵの使用状況（使用時間）を判断する。
これは、ランプなどを長時間使用した場合には、当該電気部品の電気的特性は新品のとき
の電気特性に比べて何らかの変化が生じるものである。したがって、ランプユニットＬＰ
Ｕとして中古ランプユニットを使用した場合、特定の電気部品の電気特性の変化に基づい
て、その中古ランプユニットの使用状況を推測することは可能である。
【００６８】
これにより、数十時間というような短い累積点灯時間で当該中古ランプユニットが不点
灯となった場合、ユーザがその累積点灯時間を根拠にしてメーカ側に苦情を持ち込んだと
しても、メーカ側では、電気的特性の変化を調べることにより、そのランプユニットが実
際にはどの程度使用されたランプユニットであるかを容易に推測することができる。
【００６９】
このような電気的特性の変化による累積時間の推測処理と上記実施形態で説明したリセ
ット用認証情報による累積点灯時間のリセットの可否を判定する処理とを併用することに
より、仮に、中古ランプユニットによって累積点灯時間が不正にリセットされた場合であ
っても、当該中古ランプユニットの実際の使用状況を容易かつ適切に判断することができ
る。したがって、悪意を持ったユーザが、短い累積点灯時間を根拠にしてメーカ側に不当
な要求を行ったとしても、そのような不当な要求に対して、メーカ側では適切に対処する
ことができる。
【００７０】
（２）上記実施形態においては、リセット用認証情報をラベルなどに表記して、そのラ
ベルをランプユニットＬＰＵに貼付する場合を例示したが、これに限られるものではなく
、ラベルなどを用いずに、ランプユニットＬＰＵに直接、リセット用認証情報を表記する
ようにしてもよい。また、ランプユニットＬＰＵそのものにリセット用認証情報を表記す
るのではなく、リセット用認証情報が表記されたラベルなどをランプユニットＬＰＵの付
属品として同梱するようにしてもよく、ランプユニットＬＰＵの取扱説明書に当該ランプ
ユニットＬＰＵのリセット用認証情報を表記するようにしてもよい。また、リセット用認
証情報をインターネットなどによって取得するような形式としてもよい。
【００７１】
（３）上記実施形態においては、累積点灯時間表示部２９１及び累積点灯時間リセット
ボタン２９２は、それぞれ操作パネル２００に設けた場合を例示したが（図２参照）、操
作パネル２００以外の所定箇所に独立した構成要素として設けるようにしてもよい。また
、累積点灯時間リセットボタン２９２は、リモコン５００上に設けるようにしてもよい。
【００７２】
（４）上記実施形態では、プロジェクタを例にとって説明したが、プロジェクタを用い
たプロジェクションテレビジョンにも適用できることは勿論である。
【００７３】
（５）本発明のプロジェクタは、光変調素子としては液晶を用いたものに限られるもの
ではなく、デジタルミラーデバイスを用いたプロジェクタであってもよい。
【図面の簡単な説明】
【００７４】
【図１】実施形態に係るプロジェクタＰＪの外観を概略的に示す斜視図。
【図２】操作パネル２００の構成例を示す図。
【図３】実施形態に係るプロジェクタＰＪの画像投写部の構成を示す図。
【図４】実施形態に係るプロジェクタＰＪの機能ブロック図。
【図５】ランプユニット交換モードにおける制御部４００の処理について説明するフローチャート。
【図６】ランプユニットの交換操作と累積点灯時間リセットの可否との対応関係を説明する図。
【符号の説明】
【００７５】
１００・・・投写レンズ、２００・・・操作パネル、２１０・・・機能設定操作部、２
２０・・・電源スイッチ、２６０・・・電源ＬＥＤ（累積点灯時間表示用ＬＥＤ）、２７
０・・・ランプエラーＬＥＤ、２９１・・・累積点灯時間表示部、２９２・・・累積点灯
時間リセットボタン、３５０・・・累積点灯時間記憶部、３６０・・・リセット用認証情
報記憶部、４００・・・制御部、７００・・・画像投写部、７１０・・・ランプ、ＬＰＵ
・・・ランプユニット、ＰＪ・・・プロジェクタ
【図１】
2010139599.tif 000003
【図２】
2010139599.tif 000004
【図３】
2010139599.tif 000005
【図４】
2010139599.tif 000006
【図５】
2010139599.tif 000007
【図６】
2010139599.tif 000008